(57)【要約】【課題】被測定装置が多数のアンテナ出力ポートを有する場合でも、簡易な構成で高速な信号解析を行うことができる信号解析装置及び信号解析方法を提供する。【解決手段】信号解析装置１０は、複数のアンテナ出力ポートのいずれか１つを切り替えて選択するスイッチボックス２０と、スイッチボックス２０によって選択されたアンテナ出力ポートからの出力信号を記憶するメモリ部４２と、メモリ部４２によって記憶された出力信号を解析する解析部４３と、を備え、スイッチボックス２０は、複数のアンテナ出力ポートのいずれか１つを選択した状態において出力する選択時出力信号と、複数のアンテナ出力ポートを切り替える切替時において出力する切替時出力信号と、を出力し、メモリ部４２は、選択時出力信号及び切替時出力信号を記憶し、解析部４３は、メモリ部４２によって記憶された選択時出力信号を解析する構成を有する。【選択図】図１
2018019151.tif 000002
【特許請求の範囲】
【請求項１】
複数のアンテナ出力ポート（＃０〜＃１０１）を有する被測定装置（１）の出力信号を解析する信号解析装置（１０）であって、
前記複数のアンテナ出力ポートのいずれか１つを切り替えて選択する選択手段（２０）と、
前記選択手段によって選択されたアンテナ出力ポートからの出力信号を記憶する出力信号記憶手段（４２）と、
前記出力信号記憶手段によって記憶された前記出力信号を解析する信号解析手段（４３）と、
を備え、
前記選択手段は、前記複数のアンテナ出力ポートのいずれか１つを選択した状態において出力する選択時出力信号と、前記複数のアンテナ出力ポートを切り替える切替時において出力する切替時出力信号と、を出力するものであり、
前記出力信号記憶手段は、前記選択時出力信号及び前記切替時出力信号を記憶するものであり、
前記信号解析手段は、前記出力信号記憶手段によって記憶された前記選択時出力信号を解析するものであることを特徴とする信号解析装置。
【請求項２】
前記選択手段は、前記選択時出力信号と前記切替時出力信号とが交互に現れるデータを１つの捕捉データ（６０）として出力するものであることを特徴とする請求項１に記載の信号解析装置。
【請求項３】
前記被測定装置は、無線周波数の信号を送信する送信装置であって、
前記選択手段と前記出力信号記憶手段との間において前記無線周波数の信号をベースバンド周波数の信号に周波数変換する周波数変換手段（３０）をさらに備えたことを特徴とする請求項１又は２に記載の信号解析装置。
【請求項４】
複数のアンテナ出力ポート（＃０〜＃１０１）を有する被測定装置（１）の出力信号を解析する信号解析装置（１０）を用いた信号解析方法であって、
前記複数のアンテナ出力ポートのいずれか１つを切り替えて選択する選択ステップ（Ｓ１５）と、
前記選択ステップにおいて選択されたアンテナ出力ポートからの出力信号を記憶する出力信号記憶ステップ（Ｓ１８）と、
前記出力信号記憶ステップにおいて記憶された前記出力信号を解析する信号解析ステップ（Ｓ２１）と、
を含み、
前記選択ステップでは、前記複数のアンテナ出力ポートのいずれか１つを選択した状態において出力する選択時出力信号と、前記複数のアンテナ出力ポートを切り替える切替時において出力する切替時出力信号と、を出力し、
前記出力信号記憶ステップでは、前記選択時出力信号及び前記切替時出力信号を記憶し、
前記信号解析ステップでは、前記出力信号記憶ステップにおいて記憶された前記選択時出力信号を解析する、
ことを特徴とする信号解析方法。
【発明の詳細な説明】
【技術分野】
【０００１】
本発明は、例えば、ＭＩＭＯ（Multiple Input Multiple Output）方式の端末装置から送信される信号を解析する信号解析装置及び信号解析方法に関する。
【背景技術】
【０００２】
近年、縦方向と横方向に２次元配置した多数のアンテナ素子を基地局に搭載し、水平方向に加えて垂直方向にビームを形成する三次元ＭＩＭＯ（３Ｄ−ＭＩＭＯ）方式が検討されている。３Ｄ−ＭＩＭＯ方式のうち、送信アンテナが８より大きい場合はＦＤ−ＭＩＭＯ（Full Dimension-MIMO）方式と呼ばれている。ＦＤ−ＭＩＭＯ方式の中には送信アンテナ数が１００を超えるものもある。
【０００３】
従来、ＭＩＭＯ方式の被測定装置に対して測定を行うものとしては、測定対象となっている被測定装置の測定中に、測定が終了した被測定装置を新たな被測定装置に交換できる測定装置が知られている（例えば、特許文献１参照）。
【０００４】
特許文献１に記載の従来のものは、複数の被測定装置がそれぞれ備えた２つのアンテナに接続可能な複数の端子（アンテナ出力ポート）を有する接続部と、複数の被測定装置の２つのアンテナのうちの１つと信号生成部及び信号解析部とを選択的に接続する切替部と、切替部の切替動作を制御する制御部と、を有する構成となっている。
【０００５】
この構成により、従来のものは、被測定装置のアンテナの切り替えを容易にすることができるようになっている。
【先行技術文献】
【特許文献】
【０００６】
【特許文献１】特開２０１３−１８３２６９号公報
【発明の概要】
【発明が解決しようとする課題】
【０００７】
しかしながら、従来のものでは、被測定装置のアンテナ出力ポート数が２つ程度の場合はアンテナ出力ポートの切り替えは容易であったが、被測定装置のアンテナ出力ポート数が増加するほどアンテナ出力ポートの切り替えが困難となるという課題があった。
【０００８】
具体的には、従来のものでは、例えば、ＦＤ−ＭＩＭＯ方式に対応させるため、被測定装置が多数のアンテナ出力ポート（例えば６４個以上）を有する場合には、被測定装置の送信タイミング制御が煩雑となってアンテナ出力ポートの切り替えが困難となり、高速な信号解析を行うことができなかった。
【０００９】
本発明は、従来の課題を解決するためになされたものであり、被測定装置が多数のアンテナ出力ポートを有する場合でも、簡易な構成で高速な信号解析を行うことができる信号解析装置及び信号解析方法を提供することを目的とする。
【課題を解決するための手段】
【００１０】
本発明の請求項１に係る信号解析装置は、複数のアンテナ出力ポート（＃０〜＃１０１）を有する被測定装置（１）の出力信号を解析する信号解析装置（１０）であって、前記複数のアンテナ出力ポートのいずれか１つを切り替えて選択する選択手段（２０）と、前記選択手段によって選択されたアンテナ出力ポートからの出力信号を記憶する出力信号記憶手段（４２）と、前記出力信号記憶手段によって記憶された前記出力信号を解析する信号解析手段（４３）と、を備え、前記選択手段は、前記複数のアンテナ出力ポートのいずれか１つを選択した状態において出力する選択時出力信号と、前記複数のアンテナ出力ポートを切り替える切替時において出力する切替時出力信号と、を出力するものであり、前記出力信号記憶手段は、前記選択時出力信号及び前記切替時出力信号を記憶するものであり、前記信号解析手段は、前記出力信号記憶手段によって記憶された前記選択時出力信号を解析するものである構成を有している。
【００１１】
この構成により、本発明の請求項１に係る信号解析装置は、複数のアンテナ出力ポートのいずれか１つを切り替えて選択し、各アンテナ出力ポートから出力される出力信号を記憶し、記憶された出力信号を解析するので、被測定装置が多数のアンテナ出力ポートを有する場合でも、簡易な構成で高速な信号解析を行うことができる。
【００１２】
本発明の請求項２に係る信号解析装置は、前記選択手段は、前記選択時出力信号と前記切替時出力信号とが交互に現れるデータを１つの捕捉データ（６０）として出力するものである構成を有している。
【００１３】
この構成により、本発明の請求項２に係る信号解析装置は、出力信号の捕捉が一括で完了し捕捉データが１つにまとまるので、捕捉データの取り扱いの容易化を図ることができる。
【００１４】
本発明の請求項３に係る信号解析装置は、前記被測定装置は、無線周波数の信号を送信する送信装置であって、前記選択手段と前記出力信号記憶手段との間において前記無線周波数の信号をベースバンド周波数の信号に周波数変換する周波数変換手段（３０）をさらに備えた構成を有している。
【００１５】
この構成により、本発明の請求項３に係る信号解析装置は、無線周波数の信号を送信する送信装置が多数のアンテナ出力ポートを有する場合でも、簡易な構成で高速な信号解析を行うことができる。
【００１６】
本発明の請求項４に係る信号解析方法は、複数のアンテナ出力ポート（＃０〜＃１０１）を有する被測定装置（１）の出力信号を解析する信号解析装置（１０）を用いた信号解析方法であって、前記複数のアンテナ出力ポートのいずれか１つを切り替えて選択する選択ステップ（Ｓ１５）と、前記選択ステップにおいて選択されたアンテナ出力ポートからの出力信号を記憶する出力信号記憶ステップ（Ｓ１８）と、前記出力信号記憶ステップにおいて記憶された前記出力信号を解析する信号解析ステップ（Ｓ２１）と、を含み、前記選択ステップでは、前記複数のアンテナ出力ポートのいずれか１つを選択した状態において出力する選択時出力信号と、前記複数のアンテナ出力ポートを切り替える切替時において出力する切替時出力信号と、を出力し、前記出力信号記憶ステップでは、前記選択時出力信号及び前記切替時出力信号を記憶し、前記信号解析ステップでは、前記出力信号記憶ステップにおいて記憶された前記選択時出力信号を解析する、構成を有している。
【００１７】
この構成により、本発明の請求項１に係る信号解析方法は、複数のアンテナ出力ポートのいずれか１つを切り替えて選択し、各アンテナ出力ポートから出力される出力信号を記憶し、記憶された出力信号を解析するので、被測定装置が多数のアンテナ出力ポートを有する場合でも、簡易な構成で高速な信号解析を行うことができる。
【発明の効果】
【００１８】
本発明は、被測定装置が多数のアンテナ出力ポートを有する場合でも、簡易な構成で高速な測定を行うことができるという効果を有する信号解析装置及び信号解析方法を提供することができるものである。
【図面の簡単な説明】
【００１９】
【図１】本発明に係る信号解析装置の一実施形態におけるブロック構成図である。
【図２】本発明に係る信号解析装置の一実施形態におけるスイッチボックスのブロック構成図である。
【図３】本発明に係る信号解析装置の一実施形態におけるスイッチボックスから出力されるキャプチャデータの模式図である。
【図４】本発明に係る信号解析装置の一実施形態におけるフローチャートである。
【図５】本発明に係る信号解析装置の一実施形態及び従来のものによる各処理を比較して示した図である。
【発明を実施するための形態】
【００２０】
以下、本発明の実施形態について図面を用いて説明する。
【００２１】
まず、本発明に係る信号解析装置の一実施形態における構成について説明する。
【００２２】
図１に示すように、本実施形態における信号解析装置１０は、被測定装置（以下「ＤＵＴ」という）１の出力信号をキャプチャ（捕捉）して解析するものである。このＤＵＴ１は、多数のアンテナ出力ポートを有し、例えばＭＩＭＯ方式に従った信号を出力するものである。例えば、ＤＵＴ１は、携帯電話システムの基地局のマルチアンテナに接続されるアンテナ出力ポートを有し、ＭＩＭＯ方式に従った無線周波数の信号を送信する送信装置である。以下の説明において、ＤＵＴ１は、１０２個のアンテナ出力ポートを有するものとする。
【００２３】
信号解析装置１０は、スイッチボックス２０、ＲＦ部３０、信号解析部４０、表示装置５０、操作部１１、制御部１２を備えている。信号解析装置１０は、ＣＰＵ、ＲＯＭ、ＲＡＭ、各種インタフェースが接続される入出力回路等を備えたマイクロコンピュータを含む。信号解析装置１０は、ＲＯＭに予め格納された制御プログラムを実行させることにより、マイクロコンピュータを信号解析装置１０の各機能部として機能させるようになっている。
【００２４】
スイッチボックス２０は、ＤＵＴ１の出力信号のキャプチャ開始を示す信号（以下「トリガ信号」という）を制御部１２から受信したことを契機として、ＤＵＴ１が有する複数のアンテナ出力ポートのいずれか１つを所定の順序で切り替えて選択し、各アンテナ出力ポートからの出力信号をキャプチャしてキャプチャデータをＲＦ部３０に出力するようになっている。このスイッチボックス２０は、選択手段の一例である。
【００２５】
ＲＦ部３０は、ＡＴＴ（アッテネータ）３１、局部発振器３２、ミキサ３３、ＢＰＦ（バンドパスフィルタ）３４、ＡＤＣ（アナログデジタルコンバータ）３５を備え、無線周波数の信号（以下「ＲＦ信号」という）をベースバンド周波数の信号に周波数変換するものである。このＲＦ部３０は、周波数変換手段の一例である。
【００２６】
ＡＴＴ３１は、スイッチボックス２０から入力したＲＦ信号を所定のレベルに減衰し、ミキサ３３に出力するようになっている。
【００２７】
局部発振器３２は、所定周波数の局部発振信号を生成してミキサ３３に出力するようになっている。
【００２８】
ミキサ３３は、ＡＴＴ３１が出力するＲＦ信号と局部発振器３２からの局部発振信号とを混合してベースバンド周波数の信号に周波数変換し、ＢＰＦ３４に出力するようになっている。
【００２９】
ＢＰＦ３４は、入力信号のフィルタリングを行って、所定周波数領域の信号を取り出してＡＤＣ３５に出力するようになっている。
【００３０】
ＡＤＣ３５は、ＢＰＦ３４の出力信号をアナログ値からデジタル値に変換し、信号解析部４０に出力するようになっている。
【００３１】
信号解析部４０は、ＩＱ変換部４１、メモリ部４２、解析部４３を備え、ＡＤＣ３５が出力する信号の波形データをキャプチャして解析するものである。
【００３２】
ＩＱ変換部４１は、ＡＤＣ３５の出力信号をＩ相成分（同相成分）及びＱ相成分（直交成分）のベースバンドデータ（以下「Ｉ／Ｑデータ」という）に変換し、メモリ部４２に出力するようになっている。
【００３３】
メモリ部４２は、制御部１２からトリガ信号を受信したことを契機として、ＩＱ変換部４１が変換したＩ／Ｑデータを記憶するようになっている。このメモリ部４２は、出力信号記憶手段の一例である。
【００３４】
解析部４３は、メモリ部４２が記憶したＩ／Ｑデータに対し、所定の解析を行うようになっている。例えば、解析部４３は、送信電力、変調精度（Error Vector Magnitude、ＥＶＭ）、隣接チャネル漏洩電力比（Adjacent Channel Leakage Ratio、ＡＣＬＲ）、位相誤差（Phase Error）、振幅誤差（Magnitude Error）等を求めることができる。この解析部４３は、信号解析手段の一例である。
【００３５】
表示装置５０は、表示制御部５１、表示部５２を備えている。表示制御部５１は、表示部５２に表示する情報の表示制御を行うようになっている。表示部５２は、表示制御部５１の表示制御に基づいて所定の情報を表示するようになっている。
【００３６】
操作部１１は、被測定信号を解析する解析項目や解析条件、判定条件等を設定するためユーザが操作するものである。例えば、操作部１１は、各種条件を設定するための設定画面を表示するディスプレイや、キーボード、ダイヤル又はマウスのような入力デバイス、これらを制御する制御回路やソフトウェア等で構成され、各解析項目や解析条件の入力や、表示部５２の表示内容を設定するものである。
【００３７】
制御部１２は、操作部１１によって入力された各種情報を信号解析装置１０の各部及びＤＵＴ１に設定するようになっている。また、制御部１２は、ＤＵＴ１の出力信号のキャプチャを開始する際に、スイッチボックス２０及びメモリ部４２にトリガ信号を出力するようになっている。また、制御部１２は、ＤＵＴ１の出力信号をアンテナ出力ポートごとに所定のタイミングでキャプチャするため、スイッチボックス２０にスイッチ切替信号を出力するようになっている。
【００３８】
次に、スイッチボックス２０の詳細な構成について図２を用いて説明する。図２は、ＤＵＴ１のアンテナ出力ポートと、スイッチボックス２０の構成例を示す図である。この構成例のスイッチボックス２０は、６つの入力側端子と１つの出力側端子とを有する６回路１接点の切替スイッチを複数備えている。なお、各切替スイッチの入力側端子のうち図中一番上を１番目、一番下を６番目と呼ぶ。
【００３９】
図２に示すように、ＤＵＴ１は、アンテナ出力ポート＃０〜＃１０１を有している。なお、アンテナ出力ポート＃１２〜＃８９の図示は省略している。
【００４０】
スイッチボックス２０は、第１の切替スイッチ群２００と、第２の切替スイッチ群２２０と、切替スイッチ２１と、を備えている。
【００４１】
第１の切替スイッチ群２００は、１７個の切替スイッチ２０１〜２１７を備え、制御部１２からのスイッチ切替信号に基づいて切替動作を行うようになっている。なお、切替スイッチ２０３〜２１５の図示は省略している。切替スイッチ２０１は、ＤＵＴ１のアンテナ出力ポート＃０〜＃５のいずれか１つを選択可能である。切替スイッチ２０２は、ＤＵＴ１のアンテナ出力ポート＃６〜＃１１のいずれか１つを選択可能である。切替スイッチ２１６は、ＤＵＴ１のアンテナ出力ポート＃９０〜＃９５のいずれか１つを選択可能である。切替スイッチ２１７は、ＤＵＴ１のアンテナ出力ポート＃９６〜＃１０１のいずれか１つを選択可能である。
【００４２】
第２の切替スイッチ群２２０は、３個の切替スイッチ２２１〜２２３を備え、制御部１２からのスイッチ切替信号に基づいて切替動作を行うようになっている。切替スイッチ２２１は、第１の切替スイッチ群２００を介して、ＤＵＴ１のアンテナ出力ポート＃０〜＃３５のいずれか１つを選択可能である。切替スイッチ２２２は、第１の切替スイッチ群２００を介して、ＤＵＴ１のアンテナ出力ポート＃３６〜＃７１のいずれか１つを選択可能である。切替スイッチ２２３は、第１の切替スイッチ群２００を介して、ＤＵＴ１のアンテナ出力ポート＃７２〜＃１０１のいずれか１つを選択可能である。なお、切替スイッチ２２３は、入力側端子として１番目から５番目までの５つを使用するようになっている。
【００４３】
切替スイッチ２１は、１番目から３番目までの３つの入力側端子が第２の切替スイッチ群２２０の切替スイッチ２２１〜２２３の各出力側端子にそれぞれ接続されている。この切替スイッチ２１は、制御部１２からのスイッチ切替信号に基づいて、切替スイッチ２２１〜２２３のいずれか１つの出力側端子を選択するようになっている。
【００４４】
以上の構成により、スイッチボックス２０は、第１の切替スイッチ群２００、第２の切替スイッチ群２２０及び切替スイッチ２１の切替動作により、ＤＵＴ１のアンテナ出力ポート＃０〜＃１０１のいずれか１つを選択可能である。
【００４５】
制御部１２は、スイッチボックス２０の第１の切替スイッチ群２００、第２の切替スイッチ群２２０及び切替スイッチ２１にスイッチ切替信号を出力し、ＤＵＴ１のアンテナ出力ポート＃０〜＃１０１からの出力信号をスイッチボックス２０に順次入力させるようになっている。例えば、制御部１２は、ＤＵＴ１のアンテナ出力ポート＃０の出力信号を選択する場合には、切替スイッチ２０１の１番目の入力側端子と、切替スイッチ２２１の１番目の入力側端子と、切替スイッチ２１の１番目の入力側端子と、を選択させるようスイッチ切替信号をスイッチボックス２０に出力する。また、例えば、制御部１２は、ＤＵＴ１のアンテナ出力ポート＃１０１の出力信号を選択する場合には、切替スイッチ２１７の６番目の入力側端子と、切替スイッチ２２３の５番目の入力側端子と、切替スイッチ２１の３番目の入力側端子と、を選択させるようスイッチ切替信号をスイッチボックス２０に出力する。
【００４６】
次に、スイッチボックス２０から出力されるキャプチャデータについて図３を用いて説明する。
【００４７】
図３に示すように、スイッチボックス２０から出力されるキャプチャデータ６０は、「Ｐｏｒｔ＃０」〜「Ｐｏｒｔ＃１０１」で示されたアンテナ出力ポート＃０〜＃１０１の出力信号と、各出力信号の間に「ガードタイム」として示されたガードタイム信号と、を含む。
【００４８】
各出力信号は、スイッチボックス２０内の各切替スイッチが所定の位置に設定された状態で出力される信号である。すなわち、各出力信号は、スイッチボックス２０が複数のアンテナ出力ポート＃０〜＃１０１のいずれか１つを選択した状態において出力する選択時出力信号の一例である。
【００４９】
各ガードタイム信号は、スイッチボックス２０内の各切替スイッチの切り替え中に出力される信号である。すなわち、ガードタイム信号は、スイッチボックス２０が複数のアンテナ出力ポート＃０〜＃１０１を切り替える切替時において出力する切替時出力信号の一例である。
【００５０】
すなわち、スイッチボックス２０は、選択時出力信号と切替時出力信号とが交互に現れるデータを１つのキャプチャデータ６０（捕捉データ）として出力するものであり、選択手段の一例である。
【００５１】
各出力信号及び各ガードタイム信号の時間長は、それぞれ、スイッチボックス２０の切替時間及び解析部４３の解析時間に応じて設定でき、例えば共に２０ミリ秒とすることができる。この場合には、キャプチャデータ６０は、４．０８秒という短時間のデータで構成されることとなる。
【００５２】
スイッチボックス２０から出力されるキャプチャデータ６０は、前述のように構成され、ＲＦ部３０及びＩＱ変換部４１による処理の後、メモリ部４２に記憶される。解析部４３は、アンテナ出力ポート＃０〜＃１０１の出力信号（選択時出力信号）をメモリ部４２から順次又は任意の順序で読み出すことにより、所定の解析を行うことができる。
【００５３】
なお、メモリ部４２に記憶されたキャプチャデータ６０を１つのファイルとして信号解析装置１０の外部に出力し、外部の装置（例えばサーバ）によりキャプチャデータ６０を解析する構成とすれば、より高速な解析処理が行えて好ましい。
【００５４】
次に、本実施形態における信号解析装置１０の動作について図４を用いて説明する。
【００５５】
制御部１２は、ＤＵＴ１のアンテナ出力ポートの番号を示す変数ｎを初期化する（ステップＳ１１）。
【００５６】
制御部１２は、所定の測定を行うための測定パラメータを操作部１１から入力し、ＤＵＴ１、ＲＦ部３０、信号解析部４０及び表示装置５０に設定する（ステップＳ１２）。
【００５７】
制御部１２は、所定の制御信号をＤＵＴ１に出力し、ＤＵＴ１の各アンテナ出力ポートからの信号出力を開始させる（ステップＳ１３）。これ以降、ＤＵＴ１は、各アンテナ出力ポートから解析対象の信号を出し続ける状態となる。
【００５８】
制御部１２は、ＤＵＴ１の出力信号のキャプチャを開始するため、トリガ信号をスイッチボックス２０及びメモリ部４２に出力する（ステップＳ１４）。
【００５９】
制御部１２は、ＤＵＴ１のアンテナ出力ポートｎをスイッチボックス２０に選択させるためのスイッチ切替信号を出力し、アンテナ出力ポートｎをスイッチボックス２０に選択させる（ステップＳ１５）。
【００６０】
ＲＦ部３０は、アンテナ出力ポートｎからの無線周波数の信号をベースバンド周波数の信号に周波数変換する（ステップＳ１６）。具体的には、ＡＴＴ３１は、スイッチボックス２０から入力したＲＦ信号を所定のレベルに減衰し、ミキサ３３に出力する。局部発振器３２は、所定周波数の局部発振信号を生成してミキサ３３に出力する。ミキサ３３は、ＡＴＴ３１が出力するＲＦ信号と局部発振器３２からの局部発振信号とを混合してベースバンド周波数の信号に周波数変換し、ＢＰＦ３４に出力する。ＢＰＦ３４は、入力信号のフィルタリングを行って、所定周波数領域の信号を取り出してＡＤＣ３５に出力する。ＡＤＣ３５は、ＢＰＦ３４の出力信号をアナログ値からデジタル値に変換し、ＩＱ変換部４１に出力する。
【００６１】
ＩＱ変換部４１は、ＡＤＣ３５の出力信号であるアンテナ出力ポートｎの出力信号をＩ／Ｑデータに変換する（ステップＳ１７）。
【００６２】
メモリ部４２は、アンテナ出力ポートｎのＩ／Ｑデータを所定のメモリ領域に記憶する（ステップＳ１８）。
【００６３】
制御部１２は、変数ｎをインクリメントする（ステップＳ１９）。
【００６４】
制御部１２は、変数ｎがアンテナ出力ポート数の１０１を超えたか否かを判断する（ステップＳ２０）。
【００６５】
ステップＳ２０において、変数ｎが１０１を超えたと判断された場合には、解析部４３は所定の信号解析を行うことが可能となり（ステップＳ２１）、表示装置５０は信号解析結果を表示する（ステップＳ２２）。
【００６６】
一方、ステップＳ２０において、変数ｎが１０１を超えたと判断されなかった場合には、ステップＳ１５の処理に戻る。
【００６７】
次に、本実施形態における信号解析装置１０及び従来のものによる各処理を図５に基づき比較説明する。
【００６８】
まず、従来のものは、図５（ａ）に示すように、アンテナ出力ポートごとに、ＤＵＴ制御、信号キャプチャ及び信号解析を行っていた。そのため、従来のものでは、アンテナ出力ポートが増加するに従って多大な処理時間を要していた。また、従来のものでは、キャプチャデータがアンテナ出力ポートごとに存在することとなるので、アンテナ出力ポートが増加するに従ってキャプチャデータが増大し、キャプチャデータの扱いが容易ではなかった。
【００６９】
なお、ＤＵＴ制御は、例えば、アンテナ出力ポート＃１を使用する場合には、アンテナ出力ポート＃１を使用し、他のアンテナ出力ポートは使用しない出力ポート設定や、出力ポート設定が終了したか否かの確認、信号キャプチャを開始する通知等を含む制御である。
【００７０】
これに対し、本実施形態では、図５（ｂ）に示すように、アンテナ出力ポート＃０〜ｎをまとめてＤＵＴ制御、信号キャプチャ及び信号解析を行うものである。したがって、本実施形態では、以下に示す効果が得られる。
（１）ＤＵＴの出力信号のキャプチャが一括で完了するので、ＤＵＴに対する制御が容易となるとともに、アンテナ出力ポートが増加しても従来よりも高速に信号解析が可能となる。
（２）キャプチャデータの取得時にはＤＵＴから解析対象の信号を出し続ければよいので、従来のものとは異なり、ＤＵＴのアンテナ出力ポートごとに信号のオン、オフ制御が不要となる。
（３）キャプチャデータが１つにまとまるので、キャプチャデータの取り扱いが容易となる。特に、信号解析装置１０の外部にキャプチャデータを送信する際には、キャプチャデータを含むファイルが１つとなり、ファイルの送受信や解析等が容易となる。
【００７１】
以上のように、本実施形態における信号解析装置１０は、ＤＵＴ１の複数のアンテナ出力ポート＃０〜＃１０１とメモリ部４２との間の接続を切り替えて、各アンテナ出力ポートから出力される出力信号を記憶し、記憶された出力信号を解析する構成としたので、ＤＵＴ１が多数のアンテナ出力ポートを有する場合でも、簡易な構成で高速な信号解析を行うことができる。
【産業上の利用可能性】
【００７２】
以上のように、本発明に係る信号解析装置及び信号解析方法は、被測定装置が多数のアンテナ出力ポートを有する場合でも、簡易な構成で高速な測定を行うことができるという効果を有し、ＭＩＭＯ方式の端末装置から送信される信号を解析する信号解析装置及び信号解析方法として有用である。
【符号の説明】
【００７３】
１  ＤＵＴ（被測定装置）
１０  信号解析装置
２０  スイッチボックス（選択手段）
３０  ＲＦ部（周波数変換手段）
４０  信号解析部
４１  ＩＱ変換部
４２  メモリ部（出力信号記憶手段）
４３  解析部（信号解析手段）
６０  キャプチャデータ（捕捉データ）
＃０〜＃１０１  アンテナ出力ポート
【図１】
2018019151.tif 000003
【図２】
2018019151.tif 000004
【図３】
2018019151.tif 000005
【図４】
2018019151.tif 000006
【図５】
2018019151.tif 000007